(57)【要約】【課題】簡単な構造で扉の停止位置の手前で減速させるようにしたグラビティヒンジを提供する。【解決手段】下側ヒンジ要素３と上側ヒンジ要素２を回動軸４４を中心に回動させ、下側ヒンジ要素３に設けられた螺旋状の傾斜面２３に沿って上側ヒンジ要素２を回動させるようにしたグラビティヒンジ１において、下側ヒンジ要素３の軸筒３２の傾斜面２３の最下点３４を、扉６の戸当たり手前の位置に設定する。そして、その最下点３４から戸当たり６１ａまでを登り面３３ｕや水平面３３ｐとし、また、最下点３４の近傍に設けられた凹凸５２や樹脂５３などの摩擦部５で回動速度を減速させる。【選択図】図４
2018155035.tif 000002
【特許請求の範囲】
【請求項１】
下側ヒンジ要素と上側ヒンジ要素を回動軸を中心に回動させ、下側ヒンジ要素に設けられた傾斜面に沿って上側ヒンジ要素を摺動させるようにして扉を開閉させるようにしたグラビティヒンジにおいて、
前記傾斜面の下端部を扉の戸当たり位置の手前に設定したことを特徴とするグラビティヒンジ。
【請求項２】
前記傾斜面の最下点から扉の戸当たり位置までを迫り上がらせた登り面を設けるようにした請求項１に記載のグラビティヒンジ。
【請求項３】
前記傾斜面の最下点近傍に、上側ヒンジ要素との摩擦を増大させる摩擦部を設けるようにした請求項１に記載のグラビティヒンジ。
【発明の詳細な説明】
【技術分野】
【０００１】
本発明は、グラビティヒンジに関するものであり、より詳しくは、戸当たり時における衝撃を緩和できるようにしたグラビティヒンジに関するものである。
【背景技術】
【０００２】
従来より、扉の開閉時におけるヒンジとして、グラビティヒンジなるものが存在する。このグラビティヒンジは、下側ヒンジ要素と上側ヒンジ要素を回動軸を中心に回転可能に嵌合させるようにしたものであって、扉を開くときに下側ヒンジ要素の螺旋状の傾斜面に沿って上側ヒンジ要素をせり上がらせ、また、逆に、扉を閉める時には扉の自重によって上側ヒンジ要素を螺旋状の傾斜面に沿って滑り落ちるようにしたものである。このようなヒンジを用いれば、ドアクローザーなどのようなバネなどを用いることなく自動的に扉を閉めることができるようになる。
【０００３】
ところで、このようなグラビティヒンジは、簡単な構造で故障の少ない構造とすることができる一方で、開閉スピードの調整ができず、戸当たり時における衝撃が大きくなってしまうといった問題がある。
【０００４】
そこで、下記の特許文献１などには、扉を閉じるときにおける衝撃を緩和するようにしたグラビティヒンジが提案されている。
【０００５】
このヒンジは、扉を閉じるときに最初は強く回動し、戸当たり位置手前で原則して緩やかに回動して確実に扉を閉じることのできるようにしたものであって、バネが最大に伸びてスライドカム軸を押しつけた時に傾斜カム面の間に若干の隙間が残るように設定し、弱いバネが残りの隙間を埋めるように押圧するようにして、ゆっくりと扉を閉めるようにしたものである。
【先行技術文献】
【特許文献】
【０００６】
【特許文献１】特開２００４−３００６９３号公報
【発明の概要】
【発明が解決しようとする課題】
【０００７】
しかしながら、このような特許文献１に示されるようなグラビティヒンジでは、内部に強いバネと弱いバネなどを設けなければならず、また、戸当たり位置の手前で減速させるためには、そのバネの強さや長さなどを設定しなければならないために、その設定に時間がかかるといった問題があった。
【０００８】
そこで、本発明は上記課題に着目してなされたもので、簡単な構造で戸当たりの手前で減速させるようにしたグラビティヒンジを提供することを目的とする。
【課題を解決するための手段】
【０００９】
すなわち、本発明は上記課題を解決するために、下側ヒンジ要素と上側ヒンジ要素を回動軸を中心に回動させ、下側ヒンジ要素に設けられた螺旋状の傾斜面に沿って上側ヒンジ要素を回動させるようにしたグラビティヒンジにおいて、前記傾斜面の最下点を扉の戸当たり位置の手前に設定したものである。
【００１０】
このように構成すれば、扉の戸当たりの手前が傾斜面の最下点となっているため、そこから扉の回動速度を減速させることができ、戸当たり時における衝撃を緩和させることができるようになる。
【００１１】
また、このような発明において、前記傾斜面の最下点から扉の戸当たり位置までを迫り上がらせた登り面を設けるようにする。
【００１２】
このように構成すれば、最下点から迫り上がる登り面で扉を更に減速させることができるため、戸当たり時の衝撃をさらに緩和させることができるようになる。
【００１３】
さらに、前記傾斜面の最下点近傍に、上側ヒンジ要素との摩擦を増大させる摩擦部を設けるようにする。
【００１４】
このように構成すれば、傾斜面に沿って滑り落ちるように加速する扉の回動速度を摩擦部で低減させることができるため、戸当たりの手前での速度を低減させることができるようになる。
【発明の効果】
【００１５】
本発明によれば、下側ヒンジ要素と上側ヒンジ要素を回動軸を中心に回動させ、下側ヒンジ要素に設けられた螺旋状の傾斜面に沿って上側ヒンジ要素を回動させるようにしたグラビティヒンジにおいて、前記傾斜面の最下点を扉の戸当たり位置の手前に設定したので、戸当たりの手前の最下点で扉の回動速度を減速させることができ、戸当たり時における衝撃を緩和させることができるようになる。
【図面の簡単な説明】
【００１６】
【図１】本発明の一実施の形態を示すグラビティヒンジを示す概略図
【図２】同形態における下側ヒンジ要素を示す図
【図３】同形態における下側ヒンジ要素の軸筒の傾斜面を示す平面図
【図４】同形態における傾斜面を二次元に展開した原理説明図
【図５】同形態におけるグラビティヒンジが取り付けられた扉の開閉動作を示す図
【図６】同形態におけるグラビティヒンジが取り付けられた扉の開閉動作を示す図
【発明を実施するための最良の形態】
【００１７】
以下、本発明の一実施の形態について図面を参照しながら説明する。
【００１８】
この実施の形態におけるグラビティヒンジ１は、図１などに示すように、扉６側に取り付けられる上側ヒンジ要素２と、壁面７などの構造体側に取り付けられる下側ヒンジ要素３とを設け、この上側ヒンジ要素２と下側ヒンジ要素３とを回動軸４を中心に回動させるようにしたものである。そして、特徴的に、上側ヒンジ要素２の傾斜面２３と接する下側ヒンジ要素３の上面に、戸当たり６１ａ（図５など参照）の手前側を最下点３４とする螺旋状の傾斜面２３を形成するようにしたものである。以下、本実施の形態におけるグラビティヒンジ１の構造について詳細に説明する。
【００１９】
まず、上側ヒンジ要素２は、扉６の端部の複数箇所に上羽根板２１を介して取り付けられるものであって、中空状の軸筒２２を有するように構成されている。この軸筒２２は、上羽根板２１の上側半分側に一体的に取り付けられており、下面に下側ヒンジ要素３の傾斜面３３と接合する傾斜面２３を設けるようにしている。
【００２０】
この上側ヒンジ要素２に対向する下側ヒンジ要素３は、図５などに示すように、壁面７なのどの構造体に取り付けられるものであって、下羽根板３１に中空状の軸筒３２を有するように構成されている。そして、この下側ヒンジ要素３の軸筒３２と上側ヒンジ要素２の軸筒２２を軸合わせして回動軸４を挿入できるようにしている。
【００２１】
この回動軸４は、上側ヒンジ要素２と下側ヒンジ要素３の軸筒２２、３２の軸芯に沿って挿入されるもので、それぞれの軸筒２２、３２の長さよりも若干長めに設定されている。そして、この回動軸４をそれぞれの軸筒２２、３２に挿入させた状態で、それぞれの軸筒２２、３２から抜けないようにしている。
【００２２】
このような構成において、本実施の形態では、図３や図４に示すように、下側ヒンジ要素３の軸筒２２の上面に、扉６の戸当たり６１ａ（図５や図６参照）の手前を最下点３４とする傾斜面２３を形成し、また、これに接合させるように、上側ヒンジ要素２の軸筒２２の下面にも同様の傾斜面２３を設けて摺動させるようにしている。なお、図１において、上側ヒンジ要素２や下側ヒンジ要素３の傾斜面は、理解を容易にするために大きな傾斜を有するようにしているが、実際には１〜３ｍｍ程度の高低差を有する傾斜面２３となっている。
【００２３】
このようなグラビティヒンジ１の傾斜面２３の状態について、種々の扉６の取り付け状態に応じて説明する。
【００２４】
まず、図５に示すように、約９０度回動する扉６にグラビティヒンジ１を使用する場合、開口部６２に設けられた戸当たり６１ａへの衝撃を緩和する必要がある。このため、扉６を閉めた状態から約５度〜１５度の範囲内の位置を最下点３４とする螺旋状の傾斜面２３を下側ヒンジ要素３に設けるようにする。このとき、その最下点３４から戸当たり６１ａまでの角度の範囲内では、図４（ａ）に示すように、その最下点３４から登り面３３ｕを設けておくか、あるいは、図４（ｂ）に示すように水平面３３ｐとしておく。このとき、最下点３４から戸当たり６１ａまでの間を登り面３３ｕとした場合は、勢い良く回動する扉６を登り面で逆方向に力を付与し、戸当たり時の衝撃をより緩和させることができるようになる。一方、最下点３４から戸当たり６１ａまでの間を水平面３３ｐとした場合は、扉６が間口に収まる位置で扉６を水平状態にして回動させることができ、扉６と間口の上下の隙間を小さくすることができるというメリットがある。なお、この最下点３４を設ける位置については、扉６の重さや回動時における摩擦などを考慮して適宜変更することができる。
【００２５】
一方、このように傾斜面２３の最下点３４を戸当たり６１ａの手前に設定した場合であっても、勢い良く回動する扉６が戸当たり６１ａに強く当たってしまう場合もある。このため、傾斜面２３の最下点３４の近傍に、図４（ｃ）〜（ｄ）に示すように、上側ヒンジ要素２との摩擦力を増大させる摩擦部５を設けるようにすることもできる。このような摩擦部５としては、上側ヒンジ要素２と下側ヒンジ要素３のそれぞれの傾斜面２３、３３に凹凸５２を設けて構成するようにしてもよいし（図４（ｃ））、あるいは、ゴムなどの樹脂５３を設けるようにしてもよい（図４（ｄ））。なお、このように摩擦部５を設けた場合、摩擦によって摩擦部５の凹凸５２やゴムなどの樹脂５３が摩耗してしまう場合がある。このため、その摩擦部５を交換可能に設けるようにすることもできる。この摩擦部５を交換可能に設ける場合、摩擦部５を取り付けるための凹部５１を傾斜面２３の最下点３４の手前に設けておき、その凹部５１に摩擦部５を取り付けるようにすることもできる。
【００２６】
次に、図６に示すような９０度を超える開閉角度を有する扉６にグラビティヒンジ１を取り付ける場合について説明する。
【００２７】
このように開閉する扉６にグラビティヒンジ１を取り付ける場合、扉６を開けた状態に保つ必要がある場合もある。
【００２８】
このような場合、グラビティヒンジ１の傾斜面２３に、扉６を閉めた状態から所定の角度（例えば、９０度）の位置に最上点３５を設けておき、そこから扉６を全開させる方向に下方への傾斜面２３を形成するようにしておく。このようにすれば、最上点３５を超えた位置から扉６を逆方向に回動させることによって、常に扉６を開けた状態にすることができる。この場合においても、壁面７側の戸当たり６１ｂの手前を最下点３４とするように傾斜面２３を形成しておく。すなわち、開口部６２から壁面７側に向けて「（戸当たり６１ａ）、最下点３４、最上点３５、最下点３４、（戸当たり６１ｂ）」というような順序の傾斜面２３を形成しておく。この際も同様に、傾斜面２３の最下点３４の近傍に、上側ヒンジ要素２との摩擦力を増大させる摩擦部５を設けるようにしておいてもよく、最下点３４から戸当たり６１ａ、６１ｂ側については水平面３３ｐや登り面３３ｕを形成するようにしてもよい。
【００２９】
次に、このように構成されたグラビティヒンジ１の取り付け方法と、その扉６の開閉動作について説明する。
【００３０】
まず、このようなグラビティヒンジ１を扉６に取り付ける場合、扉６の端部に上側ヒンジ要素２を取り付けるとともに、これに対応する壁面７にも下側ヒンジ要素３を取り付ける。このとき、扉６の中央にのみグラビティヒンジ１を取り付け、それ以外を抜き差し蝶番などとしてもよく、あるいは、複数箇所にグラビティヒンジ１を取り付けるようにしてもよい。このとき、複数箇所にグラビティヒンジ１を取り付けるようにすれば、傾斜面２３に掛かる荷重を分散させることができるため、傾斜面２３の摩耗を低減させることができるようになる。
【００３１】
そして、このように上側ヒンジ要素２と下側ヒンジ要素３を取り付けた後、それぞれの軸筒２２に回動軸４を挿入する。
【００３２】
次に、扉６にグラビティヒンジ１を取り付けた後、図５に示すように、扉６を９０度回動させた状態から扉６を離すと、扉６の自重によって上側ヒンジ要素２の傾斜面２３が下側ヒンジ要素３の傾斜面２３に沿って滑り落ちるようになる。これによって扉６が自動的に閉まるようになるが、このとき、扉６は傾斜面２３に沿って徐々に加速しながら閉まるようになる。
【００３３】
そして、上側ヒンジ要素２の最下点３４が下側ヒンジ要素３の傾斜面２３の最下点３４まで位置に到達すると、扉６の加速が低減され、そこから迫り上がる登り面３３ｕによる逆方向の加速や、あるいは、水平面３３ｐによる摩擦による減速によって戸当たり時の衝撃を緩和することができるようになる。そして、その後は、手動によって扉６を閉めるようにする。
【００３４】
また、最下点３４の手前側に摩擦部５を設けている場合は、その摩擦部５で回動速度が減速されながら最下点３４まで回動し、その最下点３４からの登り面３３ｕや水平面３３ｐによってさらに減速されるようになるので、戸当たり時における衝撃を緩和することができる。
【００３５】
一方、これとは逆に、扉６を開ける方向に回動させると、図６に示すような９０度を超える位置から今度は扉６を開ける方向に扉６が回動し、同様に、傾斜面２３に沿って加速しながら回動する。そして、戸当たり６１ｂの少し手前で最下点３４に到達し、そこから登り面３３ｕや水平面３３ｐの摩擦、あるいは、その手前に設けられた摩擦部５で減速された状態で戸当たり６１ｂに当たる。これにより、常に扉６を開けた状態にすることができるとともに、戸当たり時における衝撃も緩和することができるようになる。
【００３６】
このように上記実施の形態によれば、下側ヒンジ要素３と上側ヒンジ要素２を回動軸４を中心に回動させ、下側ヒンジ要素３に設けられた螺旋状の傾斜面２３に沿って上側ヒンジ要素２を回動させるようにしたグラビティヒンジ１において、前記傾斜面２３の最下点３４を扉６の戸当たり位置の手前に設定するようにしたので、扉６の戸当たり６１ａの手前で扉６を減速させることができ、戸当たり時における衝撃を緩和することができるようになる。
【００３７】
なお、本発明は上記実施の形態に限定されることなく、種々の態様で実施することができる。
【００３８】
例えば、上記実施の形態では、上側ヒンジ要素２や下側ヒンジ要素３の軸筒２２に傾斜面２３を設けるようにしたが下側ヒンジ要素３の軸筒３２を円柱状とし、その上面に所定角度毎の溝に嵌合可能な傾斜筒を取り付けるようにしてもよい。そして、この傾斜筒に、上記実施の形態のような戸当たり６１ａの少し手前を最下点３４とする傾斜面２３を形成しておき、最下点３４の位置を任意に設定して取り付けるようにする。そして、このように最下点３４の位置を設定することで、扉６がちょうど戸当たり６１ａに許容速度で当たるようにしておく。このように構成すれば、扉６の重さなどによって最下点３４の位置を自由に設定することができるとともに、傾斜面２３が摩耗した際には、その傾斜筒を他の傾斜筒に交換することもできるようになる。
【００３９】
また、上記実施の形態では、回動軸４を別途設けて軸筒２２に挿入するようにしたが、上側ヒンジ要素２や下側ヒンジ要素３のいずれかに回動軸４４を取り付けておき、この回動軸４４を対向する下側ヒンジ要素３や上側ヒンジ要素２の軸筒２２に挿入するようにしてもよい。
【００４０】
さらに、上記実施の形態では、摩擦部５として凹凸５２やゴムなどの樹脂５３を用いるようにしたが、これ以外に回動速度を低減させるような方法を用いるようにしてもよい。
【００４１】
また、上記実施の形態では、９０度回動させる場合に（図５の状態）、全開状態から扉６を加速させるように傾斜面３３を設定したが、７０〜８０度付近を最上点３５にして、常に扉６を開けた状態にしておくこともできる。
【符号の説明】
【００４２】
１・・・グラビティヒンジ
２・・・上側ヒンジ要素
３・・・下側ヒンジ要素
４・・・回動軸
２１・・・上羽根板
２２・・・軸筒
２３・・・傾斜面
３・・・下側ヒンジ要素
３１・・・下羽根板
３２・・・軸筒
３３・・・傾斜面
３３ｕ・・・登り面
３３ｐ・・・水平面
３４・・・最下点
３５・・・最上点
４・・・回動軸
５・・・摩擦部（５１凹部、５２凹凸、５３樹脂）
６・・・扉
６１ａ、６１ｂ・・・戸当たり
６２・・・開口部
７・・・壁面
【図１】
2018155035.tif 000003
【図２】
2018155035.tif 000004
【図３】
2018155035.tif 000005
【図４】
2018155035.tif 000006
【図５】
2018155035.tif 000007
【図６】
2018155035.tif 000008
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
下側ヒンジ要素と上側ヒンジ要素を回動軸を中心に回動させ、下側ヒンジ要素に設けられた傾斜面に沿って上側ヒンジ要素を摺動させるようにして扉を開閉させるようにしたグラビティヒンジにおいて、
前記傾斜面の下端点を扉の戸当たり位置の手前に設定し、
前記傾斜面の最下点から扉の戸当たり位置までを迫り上がらせた登り面を設けるようにしたことを特徴とするグラビティヒンジ。
【請求項２】
前記傾斜面の最下点近傍に、上側ヒンジ要素との摩擦を増大させる摩擦部を設けるようにした請求項１に記載のグラビティヒンジ。
【手続補正２】
【補正対象書類名】明細書
【補正対象項目名】全文
【補正方法】変更
【補正の内容】
【発明の詳細な説明】
【技術分野】
【０００１】
本発明は、グラビティヒンジに関するものであり、より詳しくは、戸当たり時における衝撃を緩和できるようにしたグラビティヒンジに関するものである。
【背景技術】
【０００２】
従来より、扉の開閉時におけるヒンジとして、グラビティヒンジなるものが存在する。このグラビティヒンジは、下側ヒンジ要素と上側ヒンジ要素を回動軸を中心に回転可能に嵌合させるようにしたものであって、扉を開くときに下側ヒンジ要素の螺旋状の傾斜面に沿って上側ヒンジ要素をせり上がらせ、また、逆に、扉を閉める時には扉の自重によって上側ヒンジ要素を螺旋状の傾斜面に沿って滑り落ちるようにしたものである。このようなヒンジを用いれば、ドアクローザーなどのようなバネなどを用いることなく自動的に扉を閉めることができるようになる。
【０００３】
ところで、このようなグラビティヒンジは、簡単な構造で故障の少ない構造とすることができる一方で、開閉スピードの調整ができず、戸当たり時における衝撃が大きくなってしまうといった問題がある。
【０００４】
そこで、下記の特許文献１などには、扉を閉じるときにおける衝撃を緩和するようにしたグラビティヒンジが提案されている。
【０００５】
このヒンジは、扉を閉じるときに最初は強く回動し、戸当たり位置手前で原則して緩やかに回動して確実に扉を閉じることのできるようにしたものであって、バネが最大に伸びてスライドカム軸を押しつけた時に傾斜カム面の間に若干の隙間が残るように設定し、弱いバネが残りの隙間を埋めるように押圧するようにして、ゆっくりと扉を閉めるようにしたものである。
【先行技術文献】
【特許文献】
【０００６】
【特許文献１】特開２００４−３００６９３号公報
【発明の概要】
【発明が解決しようとする課題】
【０００７】
しかしながら、このような特許文献１に示されるようなグラビティヒンジでは、内部に強いバネと弱いバネなどを設けなければならず、また、戸当たり位置の手前で減速させるためには、そのバネの強さや長さなどを設定しなければならないために、その設定に時間がかかるといった問題があった。
【０００８】
そこで、本発明は上記課題に着目してなされたもので、簡単な構造で戸当たりの手前で減速させるようにしたグラビティヒンジを提供することを目的とする。
【課題を解決するための手段】
【０００９】
すなわち、本発明は上記課題を解決するために、下側ヒンジ要素と上側ヒンジ要素を回動軸を中心に回動させ、下側ヒンジ要素に設けられた螺旋状の傾斜面に沿って上側ヒンジ要素を回動させるようにしたグラビティヒンジにおいて、前記傾斜面の最下点を扉の戸当たり位置の手前に設定し、前記傾斜面の最下点から扉の戸当たり位置までを迫り上がらせた登り面を設けるようにしたものである。
【００１０】
また、前記傾斜面の最下点近傍に、上側ヒンジ要素との摩擦を増大させる摩擦部を設けるようにする。
【発明の効果】
【００１１】
本発明によれば、扉の戸当たりの手前が傾斜面の最下点となっているため、そこから扉の回動速度を減速させることができ、戸当たり時における衝撃を緩和させることができるようになる。また、最下点から迫り上がる登り面で扉を更に減速させることができるため、戸当たり時の衝撃をさらに緩和させることができるようになる。
【図面の簡単な説明】
【００１２】
【図１】本発明の一実施の形態を示すグラビティヒンジを示す概略図
【図２】同形態における下側ヒンジ要素を示す図
【図３】同形態における下側ヒンジ要素の軸筒の傾斜面を示す平面図
【図４】同形態における傾斜面を二次元に展開した原理説明図
【図５】同形態におけるグラビティヒンジが取り付けられた扉の開閉動作を示す図
【図６】同形態におけるグラビティヒンジが取り付けられた扉の開閉動作を示す図
【発明を実施するための最良の形態】
【００１３】
以下、本発明の一実施の形態について図面を参照しながら説明する。
【００１４】
この実施の形態におけるグラビティヒンジ１は、図１などに示すように、扉６側に取り付けられる上側ヒンジ要素２と、壁面７などの構造体側に取り付けられる下側ヒンジ要素３とを設け、この上側ヒンジ要素２と下側ヒンジ要素３とを回動軸４を中心に回動させるようにしたものである。そして、特徴的に、上側ヒンジ要素２の傾斜面２３と接する下側ヒンジ要素３の上面に、戸当たり６１ａ（図５など参照）の手前側を最下点３４とする螺旋状の傾斜面２３を形成するようにしたものである。以下、本実施の形態におけるグラビティヒンジ１の構造について詳細に説明する。
【００１５】
まず、上側ヒンジ要素２は、扉６の端部の複数箇所に上羽根板２１を介して取り付けられるものであって、中空状の軸筒２２を有するように構成されている。この軸筒２２は、上羽根板２１の上側半分側に一体的に取り付けられており、下面に下側ヒンジ要素３の傾斜面３３と接合する傾斜面２３を設けるようにしている。
【００１６】
この上側ヒンジ要素２に対向する下側ヒンジ要素３は、図５などに示すように、壁面７なのどの構造体に取り付けられるものであって、下羽根板３１に中空状の軸筒３２を有するように構成されている。そして、この下側ヒンジ要素３の軸筒３２と上側ヒンジ要素２の軸筒２２を軸合わせして回動軸４を挿入できるようにしている。
【００１７】
この回動軸４は、上側ヒンジ要素２と下側ヒンジ要素３の軸筒２２、３２の軸芯に沿って挿入されるもので、それぞれの軸筒２２、３２の長さよりも若干長めに設定されている。そして、この回動軸４をそれぞれの軸筒２２、３２に挿入させた状態で、それぞれの軸筒２２、３２から抜けないようにしている。
【００１８】
このような構成において、本実施の形態では、図３や図４に示すように、下側ヒンジ要素３の軸筒２２の上面に、扉６の戸当たり６１ａ（図５や図６参照）の手前を最下点３４とする傾斜面２３を形成し、また、これに接合させるように、上側ヒンジ要素２の軸筒２２の下面にも同様の傾斜面２３を設けて摺動させるようにしている。なお、図１において、上側ヒンジ要素２や下側ヒンジ要素３の傾斜面は、理解を容易にするために大きな傾斜を有するようにしているが、実際には１〜３ｍｍ程度の高低差を有する傾斜面２３となっている。
【００１９】
このようなグラビティヒンジ１の傾斜面２３の状態について、種々の扉６の取り付け状態に応じて説明する。
【００２０】
まず、図５に示すように、約９０度回動する扉６にグラビティヒンジ１を使用する場合、開口部６２に設けられた戸当たり６１ａへの衝撃を緩和する必要がある。このため、扉６を閉めた状態から約５度〜１５度の範囲内の位置を最下点３４とする螺旋状の傾斜面２３を下側ヒンジ要素３に設けるようにする。このとき、その最下点３４から戸当たり６１ａまでの角度の範囲内では、図４（ａ）に示すように、その最下点３４から登り面３３ｕを設けておくか、あるいは、図４（ｂ）に示すように水平面３３ｐとしておく。このとき、最下点３４から戸当たり６１ａまでの間を登り面３３ｕとした場合は、勢い良く回動する扉６を登り面で逆方向に力を付与し、戸当たり時の衝撃をより緩和させることができるようになる。一方、最下点３４から戸当たり６１ａまでの間を水平面３３ｐとした場合は、扉６が間口に収まる位置で扉６を水平状態にして回動させることができ、扉６と間口の上下の隙間を小さくすることができるというメリットがある。なお、この最下点３４を設ける位置については、扉６の重さや回動時における摩擦などを考慮して適宜変更することができる。
【００２１】
一方、このように傾斜面２３の最下点３４を戸当たり６１ａの手前に設定した場合であっても、勢い良く回動する扉６が戸当たり６１ａに強く当たってしまう場合もある。このため、傾斜面２３の最下点３４の近傍に、図４（ｃ）〜（ｄ）に示すように、上側ヒンジ要素２との摩擦力を増大させる摩擦部５を設けるようにすることもできる。このような摩擦部５としては、上側ヒンジ要素２と下側ヒンジ要素３のそれぞれの傾斜面２３、３３に凹凸５２を設けて構成するようにしてもよいし（図４（ｃ））、あるいは、ゴムなどの樹脂５３を設けるようにしてもよい（図４（ｄ））。なお、このように摩擦部５を設けた場合、摩擦によって摩擦部５の凹凸５２やゴムなどの樹脂５３が摩耗してしまう場合がある。このため、その摩擦部５を交換可能に設けるようにすることもできる。この摩擦部５を交換可能に設ける場合、摩擦部５を取り付けるための凹部５１を傾斜面２３の最下点３４の手前に設けておき、その凹部５１に摩擦部５を取り付けるようにすることもできる。
【００２２】
次に、図６に示すような９０度を超える開閉角度を有する扉６にグラビティヒンジ１を取り付ける場合について説明する。
【００２３】
このように開閉する扉６にグラビティヒンジ１を取り付ける場合、扉６を開けた状態に保つ必要がある場合もある。
【００２４】
このような場合、グラビティヒンジ１の傾斜面２３に、扉６を閉めた状態から所定の角度（例えば、９０度）の位置に最上点３５を設けておき、そこから扉６を全開させる方向に下方への傾斜面２３を形成するようにしておく。このようにすれば、最上点３５を超えた位置から扉６を逆方向に回動させることによって、常に扉６を開けた状態にすることができる。この場合においても、壁面７側の戸当たり６１ｂの手前を最下点３４とするように傾斜面２３を形成しておく。すなわち、開口部６２から壁面７側に向けて「（戸当たり６１ａ）、最下点３４、最上点３５、最下点３４、（戸当たり６１ｂ）」というような順序の傾斜面２３を形成しておく。この際も同様に、傾斜面２３の最下点３４の近傍に、上側ヒンジ要素２との摩擦力を増大させる摩擦部５を設けるようにしておいてもよく、最下点３４から戸当たり６１ａ、６１ｂ側については水平面３３ｐや登り面３３ｕを形成するようにしてもよい。
【００２５】
次に、このように構成されたグラビティヒンジ１の取り付け方法と、その扉６の開閉動作について説明する。
【００２６】
まず、このようなグラビティヒンジ１を扉６に取り付ける場合、扉６の端部に上側ヒンジ要素２を取り付けるとともに、これに対応する壁面７にも下側ヒンジ要素３を取り付ける。このとき、扉６の中央にのみグラビティヒンジ１を取り付け、それ以外を抜き差し蝶番などとしてもよく、あるいは、複数箇所にグラビティヒンジ１を取り付けるようにしてもよい。このとき、複数箇所にグラビティヒンジ１を取り付けるようにすれば、傾斜面２３に掛かる荷重を分散させることができるため、傾斜面２３の摩耗を低減させることができるようになる。
【００２７】
そして、このように上側ヒンジ要素２と下側ヒンジ要素３を取り付けた後、それぞれの軸筒２２に回動軸４を挿入する。
【００２８】
次に、扉６にグラビティヒンジ１を取り付けた後、図５に示すように、扉６を９０度回動させた状態から扉６を離すと、扉６の自重によって上側ヒンジ要素２の傾斜面２３が下側ヒンジ要素３の傾斜面２３に沿って滑り落ちるようになる。これによって扉６が自動的に閉まるようになるが、このとき、扉６は傾斜面２３に沿って徐々に加速しながら閉まるようになる。
【００２９】
そして、上側ヒンジ要素２の最下点３４が下側ヒンジ要素３の傾斜面２３の最下点３４まで位置に到達すると、扉６の加速が低減され、そこから迫り上がる登り面３３ｕによる逆方向の加速や、あるいは、水平面３３ｐによる摩擦による減速によって戸当たり時の衝撃を緩和することができるようになる。そして、その後は、手動によって扉６を閉めるようにする。
【００３０】
また、最下点３４の手前側に摩擦部５を設けている場合は、その摩擦部５で回動速度が減速されながら最下点３４まで回動し、その最下点３４からの登り面３３ｕや水平面３３ｐによってさらに減速されるようになるので、戸当たり時における衝撃を緩和することができる。
【００３１】
一方、これとは逆に、扉６を開ける方向に回動させると、図６に示すような９０度を超える位置から今度は扉６を開ける方向に扉６が回動し、同様に、傾斜面２３に沿って加速しながら回動する。そして、戸当たり６１ｂの少し手前で最下点３４に到達し、そこから登り面３３ｕや水平面３３ｐの摩擦、あるいは、その手前に設けられた摩擦部５で減速された状態で戸当たり６１ｂに当たる。これにより、常に扉６を開けた状態にすることができるとともに、戸当たり時における衝撃も緩和することができるようになる。
【００３２】
このように上記実施の形態によれば、下側ヒンジ要素３と上側ヒンジ要素２を回動軸４を中心に回動させ、下側ヒンジ要素３に設けられた螺旋状の傾斜面２３に沿って上側ヒンジ要素２を回動させるようにしたグラビティヒンジ１において、前記傾斜面２３の最下点３４を扉６の戸当たり位置の手前に設定するようにし、、前記傾斜面２３の最下点３４から扉の戸当たり６１ａ位置までを迫り上がらせた登り面３３ｕを設けるようにしたので、扉６の戸当たり６１ａの手前で扉６を減速させることができ、戸当たり時における衝撃を緩和することができるようになる。
【００３３】
なお、本発明は上記実施の形態に限定されることなく、種々の態様で実施することができる。
【００３４】
例えば、上記実施の形態では、上側ヒンジ要素２や下側ヒンジ要素３の軸筒２２に傾斜面２３を設けるようにしたが下側ヒンジ要素３の軸筒３２を円柱状とし、その上面に所定角度毎の溝に嵌合可能な傾斜筒を取り付けるようにしてもよい。そして、この傾斜筒に、上記実施の形態のような戸当たり６１ａの少し手前を最下点３４とする傾斜面２３を形成しておき、最下点３４の位置を任意に設定して取り付けるようにする。そして、このように最下点３４の位置を設定することで、扉６がちょうど戸当たり６１ａに許容速度で当たるようにしておく。このように構成すれば、扉６の重さなどによって最下点３４の位置を自由に設定することができるとともに、傾斜面２３が摩耗した際には、その傾斜筒を他の傾斜筒に交換することもできるようになる。
【００３５】
また、上記実施の形態では、回動軸４を別途設けて軸筒２２に挿入するようにしたが、上側ヒンジ要素２や下側ヒンジ要素３のいずれかに回動軸４４を取り付けておき、この回動軸４４を対向する下側ヒンジ要素３や上側ヒンジ要素２の軸筒２２に挿入するようにしてもよい。
【００３６】
さらに、上記実施の形態では、摩擦部５として凹凸５２やゴムなどの樹脂５３を用いるようにしたが、これ以外に回動速度を低減させるような方法を用いるようにしてもよい。
【００３７】
また、上記実施の形態では、９０度回動させる場合に（図５の状態）、全開状態から扉６を加速させるように傾斜面３３を設定したが、７０〜８０度付近を最上点３５にして、常に扉６を開けた状態にしておくこともできる。
【符号の説明】
【００３８】
１・・・グラビティヒンジ
２・・・上側ヒンジ要素
３・・・下側ヒンジ要素
４・・・回動軸
２１・・・上羽根板
２２・・・軸筒
２３・・・傾斜面
３・・・下側ヒンジ要素
３１・・・下羽根板
３２・・・軸筒
３３・・・傾斜面
３３ｕ・・・登り面
３３ｐ・・・水平面
３４・・・最下点
３５・・・最上点
４・・・回動軸
５・・・摩擦部（５１凹部、５２凹凸、５３樹脂）
６・・・扉
６１ａ、６１ｂ・・・戸当たり
６２・・・開口部
７・・・壁面